(57)【特許請求の範囲】
【請求項１】
シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、前記制御手段は、シャッタ音データを、現在選択されている画質モードに応じて自動的に変更し、撮影画像の画質モードをユーザに通知する機能を有することを特徴とするデジタルカメラ。
【請求項２】
シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、前記制御手段は、シャッタ音データを、現在選択されている撮影モードに応じて自動的に変更し、撮影画像の撮影モードをユーザに通知する機能を有することを特徴とするデジタルカメラ。
【請求項３】
シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、前記制御手段は、シャッタ音データを、現在選択されている露出値に応じて自動的に変更し、撮影画像の露出値をユーザに通知する機能を有することを特徴とするデジタルカメラ。
【請求項４】
シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、前記制御手段は、シャッタ音データを、現在選択されているシャッタスピードに応じて自動的に変更し、撮影画像のシャッタスピードをユーザに通知する機能を有することを特徴とするデジタルカメラ。
【請求項５】
シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、前記制御手段は、シャッタ音データを、現在選択されている絞り値に応じて自動的に変更し、撮影画像の絞り値をユーザに通知する機能を有することを特徴とするデジタルカメラ。
【請求項６】
シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、前記制御手段は、シャッタ音データを、現在選択されているホワイトバランスモードに応じて自動的に変更し、撮影画像のホワイトバランスをユーザに通知する機能を有することを特徴とするデジタルカメラ。
【請求項７】
シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、前記制御手段は、１回の再生動作で複数の条件を表現するシャッタ音データを生成する機能を有することを特徴とするデジタルカメラ。
【発明の詳細な説明】
【０００１】
【発明の属する技術分野】
本発明は、ＣＣＤセンサにより被写体を撮像してデジタル画像データに変換し、このデジタル画像データをメモリカードに記録するデジタルカメラに関し、特にシャッタ音再生機能に関する。
【０００２】
【従来の技術】
上述したように、ＣＣＤセンサにより被写体を撮像してデジタル画像データに変換し、このデジタル画像データをメモリカードに記録するデジタルカメラが広く知られている。
【０００３】
ところで、アナログ、デジタルを問わずカメラには露出やシャッタスピードといった多彩な撮影モードがあり、それらを使いこなすことにより多彩な撮影を可能としていた。
【０００４】
また、デジタルカメラについてはさらに、モノクロ、セピア、スキャナなどのデジタルカメラならではの撮影モードが追加され、一層モード設定は複雑になり、設定変更忘れなどによる意図しない撮影が行われてしまう可能性が高まっている。
【０００５】
一方、デジタルカメラでは撮影した後に、ＬＣＤモニタなどによって撮影画像を確認することによりその場で撮影画像を確認し、失敗していた場合は削除、取り直しなどの対応が可能であるという特徴がある。
【０００６】
なお、デジタルカメラに関して例えば、特開平１０−２５７３６２号公報には、小型化を図り操作性を向上させるために、カードユニットの一部を露出させ、撮像時に必要なスイッチをカードユニットの撮像ユニットから露出する部分に設ける技術が示されている。また、このカメラではシャッタ押下時にシャッタ音を発生するようになっている。
【０００７】
【発明が解決しようとする課題】
上述したように、従来よりデジタルカメラでは、ＬＣＤモニタにより撮影画像を確認することができるようになってはいるが、ＬＣＤモニタにおいて、画像データの完全な再現は不可能であり、露出などの微妙なモード設定のミスはＬＣＤモニタでは確認できなかった。
【０００８】
よって、折角その場で確認可能で撮り直しが容易なデジタルカメラであっても、その特徴が十分に活かせていない。また、デジタルカメラに特有な動作状態の情報として、バッテリ残量、メモリ残量というものがある。これらもなるべく頻繁に知りたい情報である。
【０００９】
そこで本発明は、撮影した画像データの撮影モードを即時に確認することが出来るようにし、万一意図しないモードが設定されていた場合は、デジタルカメラの特徴を活かした即時取り直しなどの対応をとることが可能なデジタルカメラを提供することを目的とするものである。
【００１０】
【課題を解決するための手段】
上記目的を達成するために、請求項１記載の発明は、シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、前記制御手段は、シャッタ音データを、現在選択されている画質モードに応じて自動的に変更し、撮影画像の画質モードをユーザに通知する機能を有することを特徴とするものである。
【００１７】
また上記目的を達成するために、請求項２記載の発明は、シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、制御手段は、シャッタ音データを、現在選択されている撮影モード、例えば連写、モノクロ、セピア、スキャナなどの撮影モードに応じて自動的に変更し、撮影画像の撮影モードをユーザに通知する機能を有することを特徴とするものである。
【００１８】
また上記目的を達成するために、請求項３記載の発明はシャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、制御手段は、シャッタ音データを、現在選択されている露出値に応じて自動的に変更し、撮影画像の露出値をユーザに通知する機能を有することを特徴とするものである。
【００１９】
また上記目的を達成するために、請求項４記載の発明は、シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、制御手段は、シャッタ音データを、現在選択されているシャッタスピードに応じて自動的に変更し、撮影画像のシャッタスピードをユーザに通知する機能を有することを特徴とするものである。
【００２０】
また上記目的を達成するために、請求項５記載の発明は、シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、制御手段は、シャッタ音データを、現在選択されている絞り値に応じて自動的に変更し、撮影画像の絞り値をユーザに通知する機能を有することを特徴とするものである。
【００２１】
また上記目的を達成するために、請求項６記載の発明は、シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、制御手段は、シャッタ音データを、現在選択されているホワイトバランスモードに応じて自動的に変更し、撮影画像のホワイトバランスをユーザに通知する機能を有することを特徴とするものである。
【００２２】
また上記目的を達成するために、請求項７記載の発明は、シャッタ押下時に音声データであるシャッタ音データを再生する機能を有するデジタルカメラにおいて、シャッタ音データを複数有する記憶手段と、所定の選択条件に従ってシャッタ音データを選択制御する制御手段とを備え、制御手段は、１回の再生動作で複数の条件を表現するシャッタ音データを生成する機能を有することを特徴とするものである。
【００２４】
請求項１記載の発明では、情報伝達のため、シャッタ音データを複数有し選択可能とすることにより、装置の利便性が高まり、さらにシャッタ音データを、現在選択されている画質モードに応じて自動的に変更し、ユーザに撮影した画像の画質モードを通知することで、当情報が判り易くなる。
【００３１】
請求項２記載の発明では、シャッタ音データを、現在選択されている連写、モノクロ、セピア、スキャナなどの撮影モードに応じて自動的に変更し、ユーザに撮影した画像の撮影モードを通知することで、当情報が判り易くなる。
【００３２】
請求項３記載の発明では、シャッタ音データを、現在選択されている露出値に応じて自動的に変更し、ユーザに撮影した画像の露出値を通知することで、当情報が判り易くなる。
【００３３】
請求項４記載の発明では、シャッタ音データを、現在選択されているシャッタスピードに応じて自動的に変更し、ユーザに撮影した画像のシャッタスピードを通知することで、当情報が判り易くなる。
【００３４】
請求項５記載の発明では、シャッタ音データを、現在選択されている絞り値に応じて自動的に変更し、ユーザに撮影した画像の絞り値を通知することで、当情報が判り易くなる。
【００３５】
請求項６記載の発明では、シャッタ音データを、現在選択されているホワイトバランスモードに応じて自動的に変更し、ユーザに撮影した画像のホワイトバランスを通知することで、当情報が判り易くなる。
【００３６】
請求項７記載の発明では、シャッタ音データを、再生長さ、音程、テンポ、メロディ、繰り返し回数などのパラメータに対応させ、組み合わせたものとすることで、１回のシャッタ音再生動作において同時に複数の条件をユーザに通知することを可能とし、同時に得られる装置状態の情報量を増やし、装置の利便性が高まる。
【００３８】
【発明の実施の形態】
以下、本発明の実施の形態を図面に従って説明する。
図１は本発明の実施の形態を示すデジタルカメラのブロック図である。
本デジタルカメラは、ＣＰＵ１に対してフラッシュＲＯＭ２、ＲＡＭ３、イメージプロセッサ４、音声入力用のＡ／Ｄコンバータ５、バッテリ残量検出用のＡ／Ｄコンバータ６、シャッタ７、モードセレクタ８、通信装置９、メモリカード１０、ＬＣＤ１１、音声出力用のＤ／Ａコンバータ１２がが接続されている。
【００３９】
また、イメージプロセッサ４には、レンズ１３、ＣＣＤ１４が接続され、ＡＤＣ５にはマイク１５が接続され、ＡＤＣ６にはバッテリ１６が接続されている。同様に、通信装置９にはサーバ１７が接続され、ＤＡＣ１２にはスピーカ１８が接続されている。
【００４０】
次に図１に示すデジタルカメラの基本的な動作を説明する。
ユーザは、モードセレクタ８によって各種撮影モードを設定し、ＬＣＤ１１によって被写体を確認しつつ、シャッタ７を押下して撮影する。すると、レンズ１１を通してＣＣＤ１４に投影された光学像は、デジタル信号に変換され、イメージプロセッサ４によって処理されてファイルとなり、メモリカード１０に記録される。
【００４１】
その際、マイク１５によって入力された音声がＡＤＣ５によってデジタル化され、これもファイル化してメモリカード１０に記録することもできる。ユーザは、モードセレクタ８によって再生モードに切り替え、メモリカード１０内の画像データ読み出してＬＣＤ１１に表示したり、音声ファイルを読み出してＤＡＣ１２によってアナログ化し、スピーカ１８で再生することができる。
【００４２】
本発明は、上記通常のデジタルカメラの機能に加え、シャッタ７の押下時に、フラッシュＲＯＭ２に予め格納されたシャッタ音データファイルをＤＡＣ１２、スピーカ１８によって選択的に再生する機能を有する。全ての動作はＣＰＵ１によって制御される。ＲＡＭ３はその際の作業用メモリである。
【００４３】
次に第１の動作例を説明する。
第１の動作例では、上記フラッシュＲＯＭ２に複数のシャッタ音データを格納し、それらをＣＰＵ１が選択的に使用する。その選択条件は、ユーザの指定、モード毎の自動的な変更などである。
【００４４】
次に第２の動作例を説明する。
第２の動作例では、予め定められたフォーマットに準拠し、ユーザが作成したシャッタ音データを外部にてメモリカード１０に書き込み、それをＣＰＵ１が読み出し、フラッシュＲＯＭ２に新たに登録格納する。
【００４５】
次に第３の動作例を説明する。
第３の動作例では、新規シャッタ音データ録音モードを設け、しかるべきトリガでマイク１５、ＡＤＣ５を用いて録音を行い、そのファイルをシャッタ音データとしてフラッシュＲＯＭ２に新たに登録格納する。
【００４６】
次に第４の動作例を説明する。
第４の動作例では、通信装置９によってサーバ１７にアクセスを行い、任意の予め用意されたシャッタ音データを選択、ダウンロードし、フラッシュＲＯＭ２に新たに登録格納する。
【００４７】
次に第５の動作例を説明する。
第５の動作例では、ＡＤＣ６によって検出されたバッテリ１６のバッテリ残量を判定し、残量が予め決められたスレッシュを下回った場合、予め当状態を示すことに決めてあるシャッタ音データに変更する。次回ユーザがシャッタ７を押下したとき、バッテリ残量が少ないことを示すシャッタ音がすることから、バッテリ残量についての情報を、専用の操作をすることなく知ることができる。
【００４８】
図３はそのフローチャートである。
シャッタ押下により（Ｓ１でＹ）、撮影処理を行い（Ｓ２）、バッテリ残量のチェックを行う（Ｓ３）。バッテリ残量がスレッシュレベルより小さければ（Ｓ４でＹ）、バッテリ残量が少ないときのシャッタ音ファイルに変更し（Ｓ５）、次回の動作時にそのシャッタ音を再生する（Ｓ６）。
【００４９】
次に第６の動作例を説明する。
第６の動作例では、ＣＰＵ１によってフラッシュＲＯＭ２のメモリ残量を判定し、メモリ残量が予め決められたスレッシュを下回った場合、予め当状態を示すことに決めてあるシャッタ音データに変更する。次回ユーザがシャッタ７を押下したとき、メモリ残量が少ないことを示すシャッタ音がすることから、メモリ残量についての情報を、専用の操作をすることなく知ることができる。その場合のフローチャートは、図３のフローチャートのパラメータをメモリ残量に置き換えたものとなる。
【００５０】
次に第７の動作例を説明する。
第７の動作例では、シャッタ７を押下したときに再生するシャッタ音データファイルの設定を、モードセレクタ８によって選択された画質モードに応じたシャッタ音データに変更する。ユーザがシャッタ７を押下すると、その撮影に用いられた画質モードに応じたシャッタ音がすることから、撮影データのパラメータにつき、別途確認操作をすることなく知ることができる。
【００５１】
図４はそのフローチャートである。
撮影モード設定が行われなければ（Ｓ１１でＮ）、シャッタ押下により（Ｓ１２でＹ）、撮影処理を行い（Ｓ１３）、次回、通常のシャッタ音を再生する（Ｓ１４）。撮影モード設定があれば（Ｓ１１でＹ）、画質モードを選択し（Ｓ１５）、選択されたモードに対応したシャッタ音ファイルを再生するように設定する（Ｓ１６）。
【００５２】
次に第８の動作例を説明する。
第８の動作例では、シャッタ７を押下したときに再生するシャッタ音データファイルの設定を、モードセレクタ８によって選択された連写、モノクロ、セピア、スキャナなどの撮影モードに応じたシャッタ音データに変更する。ユーザがシャッタ７を押下すると、その撮影に用いられた撮影モードに応じたシャッタ音がすることから、撮影データのパラメータにつき、別途確認操作をすることなく知ることができる。その場合のフローチャートは図４のフローチャートのパラメータを撮影モードに置き換えたものとなる。
【００５３】
次に第９の動作例を説明する。
第９の動作例では、シャッタ７を押下したときに再生するシャッタ音データファイルの設定を、モードセレクタ８によって選択された露出値に応じたシャッタ音データに変更する。ユーザがシャッタ７を押下すると、その撮影に用いられた露出値に応じたシャッタ音がすることから、撮影データのパラメータにつき、別途確認操作をすることなく知ることができる。その場合のフローチャートは図４のフローチャートのパラメータを露出値に置き換えたものとなる。
【００５４】
次に第１０の動作例を説明する。
第１０の動作例では、シャッタ７を押下したときに再生するシャッタ音データファイルの設定を、モードセレクタ８によって選択された露出モード（シャッタスピード）に応じたシャッタ音データに変更する。ユーザがシャッタ７を押下すると、その撮影に用いられた露出モードに応じたシャッタ音がすることから、撮影データのパラメータにつき、別途確認操作をすることなく知ることができる。その場合のフローチャートは、図４のフローチャートのパラメータをシャッタスピードに置き換えたものとなる。
【００５５】
次に第１１の動作例を説明する。
第１１の動作例では、シャッタ７を押下したときに再生するシャッタ音データファイルの設定を、モードセレクタ８によって選択された絞り値モードに応じたシャッタ音データに変更する。ユーザがシャッタ７を押下すると、その撮影に用いられた絞り値モードに応じたシャッタ音がすることから、撮影データのパラメータにつき、別途確認操作をすることなく知ることができる。その場合のフローチャートは、図４のフローチャートのパラメータを絞り値に置き換えたものとなる。
【００５６】
次に第１２の動作例を説明する。
第１２の動作例では、シャッタ７を押下したときに再生するシャッタ音データファイルの設定を、モードセレクタ８によって選択されたホワイトバランスモードに応じたシャッタ音データに変更する。ユーザがシャッタ７を押下すると、その撮影に用いられたホワイトバランスモードに応じたシャッタ音がすることから、撮影データのパラメータにつき、別途確認操作をすることなく知ることができる。その場合のフローチャートは、図４のフローチャートのパラメータをホワイトバランスモードに置き換えたものとなる。
【００５７】
次に第１３の動作例を説明する。
第１３の動作例では、バッテリ残量、画像データ格納用メモリ残量、及び各種モードに応じて変更したシャッタ音データを、リズム、音程、テンポ、曲、繰り返し回数などのパラメータに対応させる。そしてこれらを組み合わせたシャッタ音データとし、１回のシャッタ音再生動作において、同時に複数の条件をユーザに通知することを可能とするものである。
【００５８】
そのデータは、例えば音程が画質を示し、再生長さがバッテリ残量を示す。ユーザがシャッタ７を押下すると、その撮影に用いられた複数の各種モードのパラメータを示すシャッタ音がすることから、撮影データの複数のパラメータにつき、別途確認操作をすることなく知ることができる。同じファイルの再生時処理を変更することで、音程や長さを変更してもよい。
【００５９】
次に第１４の動作例を説明する。
図２は本発明の実施の形態を示すデジタルカメラの外観図である。
デジタルカメラ本体２０に対してＬＣＤモニタ部２１が開閉可能に設けてあり、（ａ）に示すように、ＬＣＤモニタ部２１を開いた状態でスピーカ１８が外部に露出するようになっている。従って、（ａ）のようにスピーカ１８が露出した状態と、（ｂ）のようにＬＣＤモニタ部２１が閉じ、スピーカ１８がＬＣＤモニタ部２１で被覆された状態とでは、シャッタ音の再生音量、音質が異なってしまう。そこで、開閉センサ２２によりＬＣＤモニタ部２１の開閉を検出すると共に、開閉に応じて音量や音質がおよそ等しくなるように調整する。
【００６０】
【発明の効果】
請求項１記載の発明によれば、情報伝達のため、シャッタ音データを複数有し選択可能とすることにより、装置の利便性を高めることができ、さらに、シャッタ音データを、現在選択されている画質モードに応じて自動的に変更し、ユーザに撮影した画像の画質モードを通知することで、当情報をユーザに判り易くすることができる。
【００６７】
請求項２記載の発明によれば、シャッタ音データを、現在選択されている連写、モノクロ、セピア、スキャナなどの撮影モードに応じて自動的に変更し、ユーザに撮影した画像の撮影モードを通知することで、当情報をユーザに判り易くすることができる。
【００６８】
請求項３記載の発明によれば、シャッタ音データを、現在選択されている露出値に応じて自動的に変更し、ユーザに撮影した画像の露出値を通知することで、当情報をユーザに判り易くすることができる。
【００６９】
請求項４記載の発明によれば、シャッタ音データを、現在選択されているシャッタスピードに応じて自動的に変更し、ユーザに撮影した画像のシャッタスピードを通知することで、当情報をユーザに判り易くすることができる。
【００７０】
請求項５記載の発明によれば、シャッタ音データを、現在選択されている絞り値に応じて自動的に変更し、ユーザに撮影した画像の絞り値を通知することで、当情報をユーザに判り易くすることができる。
【００７１】
請求項６記載の発明によれば、シャッタ音データを、現在選択されているホワイトバランスモードに応じて自動的に変更し、ユーザに撮影した画像のホワイトバランスを通知することで、当情報をユーザに判り易くすることができる。
【００７２】
請求項７記載の発明によれば、シャッタ音データを、再生長さ、音程、テンポ、メロディ、繰り返し回数などのパラメータに対応させ、組み合わせたものとすることで、１回のシャッタ音再生動作において同時に複数の条件をユーザに通知することを可能とし、同時に得られる装置状態の情報量を増やし、装置の利便性を高めることができる。
【図面の簡単な説明】
【図１】本発明の実施の形態を示すデジタルカメラのブロック図である。
【図２】本発明の実施の形態を示すデジタルカメラの外観図である。
【図３】本発明の動作例を示すフローチャートである。
【図４】本発明の他の動作例を示すフローチャートである。
【符号の説明】
１  ＣＰＵ
２  フラッシュＲＯＭ
７  シャッタ
８  モードセレクタ
９  通信装置
１０  メモリカード
１１  ＬＣＤ
１５  マイク
１６  バッテリ
１８  スピーカ
【図１】
0004006143.tif 000002
【図２】
0004006143.tif 000003
【図３】
0004006143.tif 000004
【図４】
0004006143.tif 000005